(57)【要約】【課題】データ伝送装置の受信部において、制御情報を取得するときに、誤り検出データのみを用いて判定しているため、フェージング等による受信電界強度の落ち込みによって、訂正能力を超えた誤りを含む制御データが受信されると、間違った判定により、誤った制御情報を取得してしまう危険性があるという問題点がある。【解決手段】制御データの誤り訂正及び誤り検出を用いた誤り判定情報と、受信電界強度情報と、同期ワードの誤り判定情報とを用いて、制御情報を取得することによって、誤った制御情報の取得を防ぐことが可能となる。【選択図】　　　図１
2004032187.tif 000002
【特許請求の範囲】
【請求項１】
データ伝送装置の受信部における制御情報の取得方法において、
制御情報の誤り訂正と誤り検出とを用いた誤り判定情報と、受信電界強度情報とを用いて制御情報を取得することを特徴とする制御情報の取得方法。
【請求項２】
請求項１記載の制御情報の取得方法において、前記制御情報の誤り訂正と誤り検出を用いた誤り判定情報と、受信電界強度情報と、同期ワードの誤り判定情報とを用いて制御情報を取得することを特徴とする制御情報の取得方法。
【発明の詳細な説明】
【０００１】
【発明の属する技術分野】
本発明は、データ伝送装置の受信部における制御情報の取得方法に関するものである。
【０００２】
【従来の技術】
データ伝送では、通常、伝送するデータ列の中に、通信に必要な制御情報を付加して伝送・通信を行う。この制御情報には、チャネル構造に関する情報、システム情報、規制情報等の重要なデータを含んでおり、誤り訂正、誤り検出を用いて制御情報を取得する必要がある。従来のデータ伝送方式について図５及び図６を用いて説明する。
【０００３】
図５において、１は受信信号入力端子、２は復調部、３は制御データ抽出部、４は制御データ誤り訂正部、５は制御データ誤り検出部、６は制御データ誤り判定部、７はセレクタ、８は再送要求部、９は制御情報取得部である。この動作について、図６の動作フローに沿って説明する。
【０００４】
まず、受信信号入力端子１より入力された受信データを復調部２で復調し、１フレーム分の復調データを得る。この復調データに含まれる制御データを制御データ抽出部３にて抽出し、制御データ誤り訂正部４及び制御データ誤り検出部５を介して制御データの訂正しきれなかった誤りビット数を検出し、制御データ誤り判定部６にて誤り残の有無を判定する。誤りビット無しと判定された時は、セレクタ７によりそのまま制御情報取得部９にて制御情報を取得し、誤りビット数有りと判定されたときは、セレクタ７により再度同一データを送信するよう再送要求部８を介して要求する。以上により、誤りの無い制御情報を取得することができる。
【０００５】
【発明が解決しようとする課題】
しかしながら、前述の従来技術では、制御データの誤り検出のみを用いて判定しているため、フェージング等による受信電界強度の落ち込みにより訂正能力を超えた誤りがある制御データが受信されると、間違った判定により誤った制御情報を取得してしまう危険性があるという問題点がある。
【０００６】
【課題を解決するための手段】
本発明は、前述の問題点を解決するため、制御情報の誤り検出を用いた判定情報の他に、同期ワードの誤り検出情報と、受信電界強度情報とを用いて、制御データの取得判定を行うものである。
【０００７】
【発明の実施の形態】
図１は、本発明の第一の実施形態を示すデータ伝送受信部のブロック図である。図３は本発明の第二の実施形態を示すデータ伝送受信部のブロック図である。また、図２は図１における動作のフロー、図４は図３における動作のフローを示した図である。
【０００８】
まず、図１について説明する。１は受信信号入力端子、２は復調部、３は制御データ抽出部、４は制御データ誤り訂正部、５は制御データ誤り検出部、６は制御データ誤り判定部、７はセレクタ、８は再送要求部、９は制御情報取得部、１０は同期ワード抽出部、１１は同期ワード誤り検出部、１２は同期ワード誤り判定部、１３は受信電界強度信号入力部、１４は受信電界強度取得部、１５は受信電界強度判定部、１６，１７はセレクタである。この動作について、図２の動作フローに沿って説明する。
【０００９】
受信信号入力端子１より入力された受信データを復調部２で復調し、１フレーム分の復調データを得る。この復調データに含まれる制御データを制御データ抽出部３にて抽出し、制御データ誤り訂正部４にて、受信した制御データの誤りを訂正する。誤りを訂正した制御データは、制御データ誤り検出部５を介して訂正しきれなかった誤りビット数を検出し、制御データ誤り判定部６にて誤り残の有無を判定する。また、復調部２より得た復調データより、同期ワードを同期ワード抽出部１０により抽出し、同期ワード誤り検出部１１にて同期ワードの誤り検出を行い、同期ワード誤り判定部１２にて、同期ワードの誤りが規定の誤りビット数より多いかどうかの判定を行う。
【００１０】
制御データ誤り判定部６にて誤りビット有りと判定された時は、再度同一データを送信するようセレクタ７、再送要求部８を介して要求する。また、制御データ誤り判定部６にて誤りビット無しと判定された時は、同期ワード誤り判定部１２の結果を基にし、同期ワード誤りが規定の誤りビット数より少ない場合には、セレクタ７、セレクタ１６を介して制御情報取得部にて制御情報を取得する。これは、誤り訂正を行わない同期ワードの誤り検出にて誤りが無いと判断されたため、制御データの誤り検出部の結果も信用できるものと考えられるからである。
【００１１】
逆に同期ワード誤りが規定の誤りビット数より多い場合には、受信電界強度信号入力端子１３より得た受信電界強度信号を受信電界強度取得部１４にて取得し、受信電界強度判定部１５にて受信電界強度が落ち込んでいるかどうかの判定を行い、規定値より小さい場合には再度同一データを送信するようセレクタ１７、再送要求部８を介して要求し、規定値より大きい場合にはセレクタ１７を介して制御情報取得部にて制御情報を取得する。これは、誤り訂正を行わない同期ワードの誤り検出にて誤りがあると判断された場合でも、制御データには誤り訂正が入っており、誤り訂正により正しい制御情報を取得出来る可能性があるため、受信電界強度によりフェージングによる落ち込みがあるかどうかの判定を行い、受信電界強度が規定値よりも大きければ制御データは誤り訂正により誤りを訂正されたデータであり、誤り検出部の結果も信用できるものと考えられるからである。以上より、フェージング等により受信電界強度が落ち込んだ場合でも、誤った制御情報の取得を防ぐことができる。
【００１２】
また、同期ワードの誤り判定を使用しない方法を図３及び図４を用いて説明する。１は受信信号入力端子、２は復調部、３は制御データ抽出部、４は制御データ誤り訂正部、５は制御データ誤り検出部、６は制御データ誤り判定部、７はセレクタ、８は再送要求部、９は制御情報取得部、１３は受信電界強度信号入力部、１４は受信電界強度取得部、１５は受信電界強度判定部、１８はセレクタである。この動作について、図４の動作フローに沿って説明する。
【００１３】
受信信号入力端子１より入力された受信データを復調部２で復調し、１フレーム分の復調データを得る。この復調データに含まれる制御データを制御データ抽出部３にて抽出し、制御データ誤り訂正部４にて、受信した制御データの誤りを訂正する。誤りを訂正した制御データは、制御データ誤り検出部５を介して制御データの訂正しきれなかった誤りビット数を検出し、制御データ誤り判定部６にて誤り残の有無を判定する。
【００１４】
制御データ誤り判定部６にて誤りビット有りと判定された時は、再度同一データを送信するようセレクタ７、再送要求部８を介して要求する。また、制御データ誤り判定部６にて誤りビット無しと判定された時は、受信電界強度信号入力端子１３より得た受信電界強度データを受信電界強度取得部１４にて取得し、受信電界強度判定部１５にて受信電界強度が落ち込んでいるかどうかの判定を行い、規定値より小さい場合には再度同一データを送信するようセレクタ１８、再送要求部８を介して要求し、規定値より大きい場合にはセレクタ１８を介して制御情報取得部にて制御情報を取得する。
【００１５】
これは、たとえ制御データの誤りが無いと判定された場合でも、受信電界強度が規定値よりも小さければ、フェージング等により訂正能力を超えた誤りがある制御データが受信され、間違った判定により誤った制御情報を取得してしまう可能性があるために再送を要求するものである。以上より、フェージング等による受信電界強度が落ち込んだ場合でも、誤った制御情報の取得を防ぐことができる。
【００１６】
【発明の効果】
本発明によれば、制御情報の誤り訂正及び誤り検出を用いた誤り判定情報と、受信電界強度情報と、同期ワードの誤り判定情報とを用いて制御情報を取得することにより、誤った制御情報の取得を防ぐ事が可能となる。
【図面の簡単な説明】
【図１】本発明の第一の実施例を示すデータ伝送装置受信部のブロック図。
【図２】本発明の第一の実施例を示すデータ伝送装置受信部の動作フロー図。
【図３】本発明の第二の実施例を示すデータ伝送装置受信部のブロック図。
【図４】本発明の第二の実施例を示すデータ伝送装置受信部の動作フロー図。
【図５】従来のデータ伝送装置受信部のブロック図
【図６】従来のデータ伝送装置受信部の動作フロー図。
【符号の説明】
１：受信信号入力端子、２：復調部、３：制御データ抽出部、４：制御データ誤り訂正部、５：制御データ誤り検出部、６：制御データ誤り判定部、７：セレクタ、８：再送要求部、９：制御情報取得部、１０：同期ワード抽出部、１１：同期ワード誤り検出　部、１２：同期ワード誤り判定部、１３：受信電界強度信号入力部、１４：受信電界強度取得部、１５：受信電界強度判定部、１６〜１８：セレクタ。
【図１】
2004032187.tif 000003
【図２】
2004032187.tif 000004
【図３】
2004032187.tif 000005
【図４】
2004032187.tif 000006
【図５】
2004032187.tif 000007
【図６】
2004032187.tif 000008